(57)【要約】【課題】この発明は、省電力モード時において、待機モードに完全に移行させることなく、ＨＤＤに保存されているファイルのカタログ情報を表示させることができる画像形成装置を提供することを目的とする。【解決手段】ＨＤＤに保存されているファイルのカタログ情報を表示させるためのカタログキー、消費電力モード時において、カタログキーが操作された場合に、上記カタログ情報を表示器に表示させるのに必要なデバイスのうち、電源がオフとなっているデバイスの電源をオンにして、上記カタログ情報を表示器に表示させる手段、ならびに表示器に表示されたカタログ情報に基づいて、ファイルが選択された後、印刷指令が入力されたときには、運転モードを待機モードに移行させた後に、選択されたファイルを印刷させる手段を備えている。【選択図】図３
2007229971.tif 000002
【特許請求の範囲】
【請求項１】
読み取った画像をファイル化してＨＤＤに保存する機能およびＨＤＤに保存したファイルを印刷する機能を備えているとともに、所定の条件を満たしたときに、運転モードを通常の待機モードから待機モードより消費電力が小さい消費電力モードに移行させる機能を備えた画像形成装置において、
ＨＤＤに保存されているファイルのカタログ情報を表示させるためのカタログキー、    消費電力モード時において、カタログキーが操作された場合に、上記カタログ情報を表示器に表示させるのに必要なデバイスのうち、電源がオフとなっているデバイスの電源をオンにして、上記カタログ情報を表示器に表示させる手段、ならびに
表示器に表示されたカタログ情報に基づいて、ファイルが選択された後、印刷指令が入力されたときには、運転モードを待機モードに移行させた後に、選択されたファイルを印刷させる手段、
を備えていることを特徴とする画像形成装置。
【請求項２】
読み取った画像をファイル化してＨＤＤに保存する機能およびＨＤＤに保存したファイルをファクシミリ送信する機能を備えているとともに、所定の条件を満たしたときに、運転モードを通常の待機モードから待機モードより消費電力が小さい消費電力モードに移行させる機能を備えた画像形成装置において、
ＨＤＤに保存されているファイルのカタログ情報を表示させるためのカタログキー、    消費電力モード時において、カタログキーが操作された場合に、上記カタログ情報を表示器に表示させるのに必要なデバイスのうち、電源がオフとなっているデバイスの電源をオンにして、上記カタログ情報を表示器に表示させる手段、ならびに
表示器に表示されたカタログ情報に基づいて、ファイルが選択された後、送信先が指定されかつ送信指令が入力されたときには、運転モードを待機モードに移行させた後、選択されたファイルを指定された送信先にファクシミリ送信させる手段、
を備えていることを特徴とする画像形成装置。
【請求項３】
カタログ情報がＨＤＤに保存されている各ファイルのサムネールであることを特徴とする請求項１乃至２に記載の画像形成装置。
【請求項４】
カタログ情報がＨＤＤに保存されている各ファイルのサムネールと保存日時からなることを特徴とする請求項１乃至２に記載の画像形成装置。
【請求項５】
カタログ情報がＨＤＤに保存されている各ファイルの保存日時であることを特徴とする請求項１乃至２に記載の画像形成装置。
【発明の詳細な説明】
【技術分野】
【０００１】
この発明は、ＨＤＤに画像を保存する機能およびＨＤＤに保存した画像を出力する機能を備えた画像形成装置に関する。
【背景技術】
【０００２】
従来からスキャナによって読み取った画像をファイル化してＨＤＤに保存しておき、必要なときにＨＤＤからファイルを読み出して印刷したり、ＦＡＸ送信したりする機能を備えた画像形成装置が既に開発されている（特開２００４−１３９３８９号公報参照）。
【０００３】
ＨＤＤに保存されている複数のファイルから所望のファイルを選択するためには、ＨＤＤに保存されているファイルのカタログ情報を表示器に表示させ、表示されたカタログ情報から所望のファイルを選択するといったことが行なわれている。画像形成装置が省電力モードとなっている場合に、ＨＤＤに保存されているファイルのカタログ情報を表示器に表示させるためには、従来においては、画像形成装置を通常の待機モードにする必要があった。
【０００４】
ところで、ユーザは、ＨＤＤに保存されているファイルを単に確認するために、ＨＤＤに保存されているファイルのカタログ情報を表示器に表示させたい場合がある。また、ＨＤＤに保存されているファイルを印刷（またはＦＡＸ送信）するつもりで、ＨＤＤに保存されているファイルのカタログ情報を表示器に表示させたが、所望のファイルが保存されていない場合もある。このような場合には、印刷処理（またはＦＡＸ送信処理）が行なわれないにも係わらず、省電力モードが解除されて通常の待機モードに移行してしまうので、省電力化の観点からは好ましくない。
【０００５】
【特許文献１】特開２００４−１３９３８９号公報参照
【発明の開示】
【発明が解決しようとする課題】
【０００６】
この発明は、省電力モード時において、待機モードに完全に移行させることなく、ＨＤＤに保存されているファイルのカタログ情報を表示させることができる画像形成装置を提供することを目的とする。
【課題を解決するための手段】
【０００７】
請求項１に記載の発明は、読み取った画像をファイル化してＨＤＤに保存する機能およびＨＤＤに保存したファイルを印刷する機能を備えているとともに、所定の条件を満たしたときに、運転モードを通常の待機モードから待機モードより消費電力が小さい消費電力モードに移行させる機能を備えた画像形成装置において、ＨＤＤに保存されているファイルのカタログ情報を表示させるためのカタログキー、消費電力モード時において、カタログキーが操作された場合に、上記カタログ情報を表示器に表示させるのに必要なデバイスのうち、電源がオフとなっているデバイスの電源をオンにして、上記カタログ情報を表示器に表示させる手段、ならびに表示器に表示されたカタログ情報に基づいて、ファイルが選択された後、印刷指令が入力されたときには、運転モードを待機モードに移行させた後に、選択されたファイルを印刷させる手段を備えていることを特徴とする。
【０００８】
請求項２に記載の発明は、読み取った画像をファイル化してＨＤＤに保存する機能およびＨＤＤに保存したファイルをファクシミリ送信する機能を備えているとともに、所定の条件を満たしたときに、運転モードを通常の待機モードから待機モードより消費電力が小さい消費電力モードに移行させる機能を備えた画像形成装置において、ＨＤＤに保存されているファイルのカタログ情報を表示させるためのカタログキー、消費電力モード時において、カタログキーが操作された場合に、上記カタログ情報を表示器に表示させるのに必要なデバイスのうち、電源がオフとなっているデバイスの電源をオンにして、上記カタログ情報を表示器に表示させる手段、ならびに表示器に表示されたカタログ情報に基づいて、ファイルが選択された後、送信先が指定されかつ送信指令が入力されたときには、運転モードを待機モードに移行させた後、選択されたファイルを指定された送信先にファクシミリ送信させる手段を備えていることを特徴とする。
【０００９】
請求項３に記載の発明は、請求項１乃至２に記載の画像形成装置において、カタログ情報がＨＤＤに保存されている各ファイルのサムネールであることを特徴とする。
【００１０】
請求項４に記載の発明は、請求項１乃至２に記載の画像形成装置において、カタログ情報がＨＤＤに保存されている各ファイルのサムネールと保存日時からなることを特徴とする。
【００１１】
請求項５に記載の発明は、請求項１乃至２に記載の画像形成装置において、カタログ情報がＨＤＤに保存されている各ファイルの保存日時であることを特徴とする。
【発明の効果】
【００１２】
この発明によれば、省電力モード時において、待機モードに完全に移行させることなく、ＨＤＤに保存されているファイルのカタログ情報を表示させることができるようになる。
【発明を実施するための最良の形態】
【００１３】
以下、図面を参照して、本発明を、複合機に適用した場合の実施例について説明する。
【実施例１】
【００１４】
図１は、複合機の電気的構成を示している。
【００１５】
複合機は、ネットワークを介して接続されたＰＣから送られてきた画像データを印刷するプリンタ機能、画像読取装置（ＣＣＤ）により読み取った画像データをファイル化してＨＤＤに保存するスキャナ機能、画像読取装置（ＣＣＤ）により読み取った画像データを印刷する複写機能、画像データを公衆回線を用いてＦＡＸ送信またはＦＡＸ受信するファクシミリ機能を備えている。また、この複合機は、ＨＤＤに保存したファイルを所定の操作により、印刷させる機能を備えている。
【００１６】
複合機は、本体部１０と操作部２０とを備えている。本体部１０は、コピー制御部１１、ＣＣＤ１２、ＨＤＤ１３、ＦＡＸ制御部１４、プリント出力制御部１５および画像形成部１７を備えている。ＣＣＤ１２、ＨＤＤ１３、ＦＡＸ制御部１４、プリント出力制御部１５は、コピー制御部１１に接続されている。ＦＡＸ制御部１４には、公衆回線３１を介してファクシミリ装置３２が接続されている。プリント出力制御部１５には、記憶装置１６が接続されている。また、プリント出力制御部１５には、ネットワーク４１を介してＰＣ４２が接続されている。
【００１７】
ＦＡＸ制御部１４は、ファクシミリデータの送受信制御、ＭＭＲなどのファクシミリデータ（符号データ）とビットマップデータとの間の符号化・復号化処理等を行なう。プリント出力制御部１５は、プリントデータの受信制御、プリントデータ（プリンタドライバのフォーマットによる）からビットマップデータへの変換処理等を行なう。コピー制御部１１は、出力制御、ビットマップデータの出力データへの変換処理等を行なう。
【００１８】
コピー制御部１１、ＦＡＸ制御部１４およびプリント出力制御部１５は、それぞれＣＰＵを備えている。ＦＡＸ制御部１４およびプリント出力制御部１５は、コピー制御部１１の電源を立ち上げる機能を備えている。
【００１９】
操作部２０は、ＬＣＤマイコン２１を備えている。ＬＣＤマイコン２１には、ＳＤＲＡＭ２２、省電力移行／解除キー２３、カタログキー２４、その他のＫＥＹ・ＬＥＤ群２６が接続されている。また、ＬＣＤマイコン２１には、ＬＣＤコントローラ２７が接続されている。ＬＣＤコントローラ２７には、タッチパネル付きのＬＣＤ２８が接続されている。ＫＥＹ・ＬＥＤ群２６には、コピー機能を使用する際に押されるコピーキー、プリンタ機能を使用する際に押されるプリンタキー、スキャナ機能を使用する際に押されるスキャナキー、ファックス機能を使用する際に押されるファックスキー、スタートキー、テンキー等が含まれる。
【００２０】
複合機の運転モードとしては、待機モードと待機モードより消費電力が少ない省電力モードとがある。複合機の運転モードは、通常は待機モードとなっている。待機モードにおいて、操作部２０のキーが一定時間以上操作されない状態であって、かつ、プリンタ機能、スキャナ機能、複写機能およびファクシミリ機能が一定時間以上使用されないときには、複合機の運転モードは省電力モードに移行する。
【００２１】
省電力モード時においては、本体部１０内の各デバイスおよび操作部２０内の各デバイスの電源のＯＮ・ＯＦＦ状態は次のようになっている。
【００２２】
＜本体部１０＞
コピー制御部１１      ：電源ＯＦＦ
ＨＤＤ１３            ：電源ＯＦＦ
ＣＣＤ１２            ：電源ＯＦＦ
ＦＡＸ制御部１４      ：電源ＯＮ
プリント出力制御部１５：電源ＯＮ
記憶装置１６          ：電源ＯＮ
【００２３】
＜操作部２０＞
ＬＣＤマイコン２１    ：電源ＯＮ
記憶装置２２          ：電源ＯＮ
ＬＣＤコントローラ２７：電源ＯＦＦ
ＫＥＹ・ＬＥＤ群２６  ：電源ＯＦＦ
ＬＣＤ２８            ：電源ＯＦＦ
【００２４】
なお、待機モード時においては、本体部１０内の上記各デバイスおよび操作部２０内の上記各デバイスの電源はＯＮ状態となっている。この実施例では、省電力移行／解除キー２３が押下られる毎に、待機モードと省電力モードとが切り換えられる。この実施例では、省電力モード時において、省電力移行／解除キー２３以外のキーが押し下げられても、待機モードには移行しない。ただし、ＦＡＸ制御部１４がファクシミリデータを受信した場合またはプリント出力制御部１５がプリントデータを受信した場合には、待機モードには移行する。また、後述するように、省電力モード時にカタログキー２４が押された場合には、待機モードに移行する場合がある。
【００２５】
この実施例では、スキャナ機能によってＨＤＤ１３にファイルが保存される際には、操作部２０のＳＤＲＡＭ２２に、そのファイル名、保存日時およびそのサムネール（縮小画像）が記憶される。なお、ＨＤＤ１３には、ファイルが格納される際には、そのファイルのファイル名、保存日時、ファイルの容量、そのファイルの格納場所（アドレス情報）等の情報が、ファイル管理情報として記憶される。
【００２６】
待機モード時には、ＬＣＤ２８には、例えば、図２に示すような基本画面が表示されている。省電力モード時には、ＬＣＤコントローラ２７およびＬＣＤ２８の電源がＯＦＦとなっているため、ＬＣＤ２８は何も表示されない状態（非表示状態）となる。
【００２７】
図３は、省電力モード時にカタログキー２４が押下げられた場合の複合機の動作を示している。
【００２８】
省電力モード時にカタログキー２４が押下げられると（ステップＳ１）、ＬＣＤマイコン２１は、ＬＣＤ２８およびＬＣＤコントローラ２７の電源をＯＮにする（ステップＳ２）。ただし、本体部１０の各デバイスの電源ＯＮ・ＯＦＦ状態は、省電力モード時の状態を維持している。つまり、省電力モードに比べて、操作部２０内のＬＣＤコントローラ２７およびＬＣＤ２８の電源がＯＮとなる点が異なっている。このような状態を準省電力状態ということにする。
【００２９】
そして、ＬＣＤマイコン２１は、図４に示すように、ＳＤＲＡＭ２２に記憶されている各ファイルの情報のうち、サムネールおよび保存日時をカタログ情報として表示する（ステップＳ３）。このような画面をカタログ表示画面ということにする。この例では、カタログ表示画面の各ページには、８個分のファイルに対応するカタログ情報が表示されるとともに、スクロールボタンが表示されている。スクロールボタンを操作することにより、画面がスクロールされ、ＨＤＤ１３に保存されている全てのファイルに関するカタログ情報が表示されるようになっている。
【００３０】
カタログ表示画面上において、ユーザが印刷したいファイルのカタログ情報（サムネール）を選択した後、スタートキーを押すと、選択されたサムネールに対応するファイルが印刷されるようになっている。
【００３１】
ＬＣＤマイコン２１は、カタログ表示画面を表示すると、いずれかのサムネールが選択されているか否かを判別する（ステップＳ４）。いずれのサムネールも選択されていない場合には、サムネールが選択されていない状態が一定時間以上継続したか否かを判別する（ステップＳ５）。サムネールが選択されていない状態が一定時間以上継続していない場合には、ステップＳ４に戻る。
【００３２】
ステップＳ４において、いずれかのサムネールが選択されていると判別した場合には、スタートキーが押下げられたか否か（印刷指令が入力されたか否か）を判別する（ステップＳ６）。スタートキーが押下げられていない場合には、ステップＳ４に戻る。
【００３３】
ステップＳ６において、スタートキーが押下げられたと判別した場合には、運転モードを準省電力状態から待機モードに移行させる（ステップＳ８）。つまり、全てのデバイスの電源をＯＮにさせる。そして、選択されているサムネールに対応するファイルの画像を印刷処理させる（ステップＳ９）。具体的には、ＬＣＤマイコン２１は、コピー制御部１１に選択されているサムネールに対応するファイル名を通知する。コピー制御部１１は、ＬＣＤマイコン２１から通知されたファイル名に対応するファイルをＨＤＤ１３から読み出して印刷処理を行なう。この場合、例えば、Ａ４、１００％の出力条件で印刷処理が行なわれる。
【００３４】
上記ステップＳ５において、サムネールが選択されていない状態が一定時間以上継続したと判別した場合には、ＬＣＤマイコン２１は、ＬＣＤ２８およびＬＣＤコントローラ２７の電源をＯＦＦにする（ステップＳ７）。つまり、運転モードを、省電力状態から省電力モードに戻す。
【００３５】
なお、サムネールが選択された後、コピーキーが押された場合に、コピーの基本画面を表示して、選択されたサムネールに対応するファイルを印刷する際の出力条件を設定できるようにしてもよい。この場合には、出力条件が設定された後に、スタートキーが押されると、選択されたサムネールに対応するファイルが、設定された出力条件で印刷されることになる。
【００３６】
また、サムネールが選択された後、ファックスキーが押された場合には、選択されたサムネールに対応するファイルをＦＡＸ送信できるようにしてもよい。この場合には、ファックスキーが押された後に、送信先が指定される。この後、スタートキーが押されると（送信指令が入力されると）、選択されたサムネールに対応するファイルが指定された送信先にＦＡＸ送信される。
【００３７】
上記実施例では、カタログ表示画面には、ＨＤＤに保存されているファイルに対応するサムネールと保存日時とがカタログ情報として表示されているが、サムネールのみをカタログ情報として表示するようにしてもよい。また、保存日時のみをカタログ情報として表示するようにしてもよい。保存日時のみをカタログ情報として表示する場合には、サムネールをＳＤＲＡＭに記憶させる必要がない。
【００３８】
上記実施例では、省電力モード時において、省電力移行／解除キー２３以外のキーが押し下げられても、待機モードには移行しないようになっているが、省電力モード時において、省電力移行／解除キー２３以外のキー（カタログキー２４を除く）が押し下げられた場合に、待機モードに移行するようにしてもよい。
【図面の簡単な説明】
【００３９】
【図１】複合機の電気的構成を示すブロック図である。
【図２】基本画面の一例を示す模式図である。
【図３】省電力モード時にカタログキー２４が押下げられた場合の複合機の動作を示すフローチャートである。
【図４】カタログ表示画面の一例を示す模式図である。
【符号の説明】
【００４０】
１０  本体部
２０  操作部
１１  コピー制御部
１２  ＣＣＤ
１３  ＨＤＤ
１４  ＦＡＸ制御部
１５  プリント出力制御部
１７  画像形成部
２１  ＬＣＤマイコン
２２  ＳＤＲＡＭ
２３  省電力移行／解除キー
２４  カタログキー
２７  ＬＣＤコントローラ
２８  タッチパネル付きのＬＣＤ
【図１】
2007229971.tif 000003
【図２】
2007229971.tif 000004
【図３】
2007229971.tif 000005
【図４】
2007229971.tif 000006